(57)【要約】【課題】弾性糸を用いることで適度な伸縮性を備えながらも、使用した弾性糸が目立たない伏目処理部を編成できる編地の編成方法を提供する。【解決手段】表目処理工程と裏目処理工程とを交互に繰り返すことで、終端編目列１０Ｅを伏目処理する。表目処理工程では、終端編目列１０Ｅの表目を含む重ね目αを形成し、その重ね目αに続けて留め編目βと弾性編目γを編成する。裏目処理工程では、終端編目列１０Ｅの裏目を含む重ね目δを形成し、その重ね目δに続けて留め編目εと弾性編目ζを編成する。但し、ｎ＋１回目の重ね目α（重ね目δ）は、ｎ回目の弾性編目γ（弾性編目ζ）と、終端編目列１０Ｅの編目のうち、弾性編目γ（弾性編目ζ）に最も近い位置にある表目χ（裏目ω）と、を表目χ（裏目ω）がベース部１０の表側（裏側）に配置された状態で重ねることで形成する（ｎは１以上の自然数）。【選択図】図３
2015127466.tif 000002
【特許請求の範囲】
【請求項１】
前後に対向する一側針床と他側針床を備え、編目の目移しが可能な横編機を用いて、編地に備わるリブ組織のベース部のウエール方向終端部を伏目処理する編地の編成方法において、
前記ベース部の終端編目列を、編地の使用時に表となる側からみたときに、非弾性糸を給糸する第一給糸口および弾性糸を給糸する第二給糸口を用いて、
前記終端編目列の表目を含む重ね目αを形成し、その重ね目αのウエール方向に続けて前記非弾性糸を用いて留め編目βを編成し、その留め編目βのウエール方向に続けて前記弾性糸を用いて弾性編目γを編成する表目処理工程と、
前記終端編目列の裏目を含む重ね目δを形成し、その重ね目δのウエール方向に続けて前記非弾性糸を用いて留め編目εを編成し、その留め編目εのウエール方向に続けて前記弾性糸を用いて弾性編目ζを編成する裏目処理工程と、
を交互に繰り返すことで、前記終端編目列を伏目処理する編地の編成方法。
但し、ｎを１以上の自然数としたとき、
ｎ＋１回目の表目処理工程の前記重ね目αは、ｎ回目の表目処理工程で編成した前記弾性編目γと、前記終端編目列の編目のうち、前記弾性編目γに最も近い位置にある表目χと、を前記表目χが前記ベース部の表側に配置された状態で重ねることで形成し、
ｎ＋１回目の裏目処理工程の前記重ね目δは、ｎ回目の裏目処理工程で編成した前記弾性編目ζと、前記終端編目列の編目のうち、前記弾性編目ζに最も近い位置にある裏目ωと、を前記裏目ωが前記ベース部の裏側に配置された状態で重ねることで形成する。
【請求項２】
前記留め編目βは裏目、前記留め編目εは表目とする請求項１に記載の編地の編成方法。
【請求項３】
前記ベース部が１×１のリブ組織以外のリブ組織の場合、前記終端編目列の表目と裏目を目移しによって並べ替えて、表目と裏目が交互に並ぶ１×１のリブ組織の終端編目列とする請求項１または請求項２に記載の編地の編成方法。
【発明の詳細な説明】
【技術分野】
【０００１】
本発明は、編地に備わるリブ組織のベース部のウエール方向終端部にある終端編目列を伏目処理する編地の編成方法に関する。
【背景技術】
【０００２】
横編機を用いて、編地の少なくとも一部にリブ組織のベース部を編成することが行われている。そのベース部の編成にあたり、横編機を用いて、ベース部のウエール方向終端部にある終端編目列を伏目処理することも行われている。例えば、タートルネックセーターのタートルネック部（ベース部）の終端編目列などを伏目処理することが代表的である。しかし、伏目処理を行うと、ベース部のウエール方向終端部の伸縮性が損なわれ易い。
【０００３】
上記伸縮性の問題を解決する手段として、例えば、弾性糸を用いて終端編目列を伏目処理することで、上記ウエール方向終端部の伸縮性を確保することが行われている。一方、特許文献１には、プレーティング用ヤーンフィーダーから主糸（非弾性糸）と添糸（弾性糸）とを揃えた状態で給糸させ、それらの編糸で伏目処理することで、ベース部のウエール方向終端部の伸縮性を確保する編成方法が開示されている。
【先行技術文献】
【特許文献】
【０００４】
【特許文献１】特許第４１１３２９６号公報
【発明の概要】
【発明が解決しようとする課題】
【０００５】
上述した従来技術には、次のような課題がある。
【０００６】
まず、弾性糸を用いて終端編目列を伏目処理する場合、ベース部を構成する非弾性糸の質感と、伏目処理に用いる弾性糸の質感と、が異なるため、伏目処理部において弾性糸が目立ってしまって、編地の見栄えが損なわれる恐れがある。
【０００７】
一方、特許文献１の編成方法では、プレーティング編成によって弾性糸を目立たなくすることはできるものの、弾性糸の種類によっては、伏目処理部が縮んで、凸凹になってしまう場合がある。弾性糸の伸縮性が非弾性糸の伸縮性よりも高いため、伏目処理部において弾性糸が収縮して非弾性糸が浮き上がったようになるからである。
【０００８】
本発明は、上記事情に鑑みてなされたものであり、弾性糸を用いることで適度な伸縮性を備えながらも、使用した弾性糸が目立たない伏目処理部を編成できる編地の編成方法を提供することを目的とする。
【課題を解決するための手段】
【０００９】
本発明は、前後に対向する一側針床と他側針床を備え、編目の目移しが可能な横編機を用いて、編地に備わるリブ組織のベース部のウエール方向終端部を伏目処理する編地の編成方法に係る。この本発明の編地の編成方法は、ベース部の終端編目列を、編地の使用時に表となる側からみたときに、非弾性糸を給糸する第一給糸口および弾性糸を給糸する第二給糸口を用いて、下記表目処理工程と裏目処理工程とを交互に繰り返すことで、上記終端編目列を伏目処理する編地の編成方法である。
［表目処理工程］…終端編目列の表目を含む重ね目αを形成し、その重ね目αのウエール方向に続けて上記非弾性糸を用いて留め編目βを編成し、その留め編目βのウエール方向に続けて上記弾性糸を用いて弾性編目γを編成する。但し、ｎを１以上の自然数としたとき、ｎ＋１回目の表目処理工程の重ね目αは、ｎ回目の表目処理工程で編成した弾性編目γと、終端編目列の編目のうち、弾性編目γに最も近い位置にある表目χと、を表目χがベース部の表側に配置された状態で重ねることで形成する。
［裏目処理工程］…終端編目列の裏目を含む重ね目δを形成し、その重ね目δのウエール方向に続けて上記非弾性糸を用いて留め編目εを編成し、その留め編目εのウエール方向に続けて上記弾性糸を用いて弾性編目ζを編成する。但し、ｎを１以上の自然数としたとき、ｎ＋１回目の裏目処理工程の重ね目δは、ｎ回目の裏目処理工程で編成した弾性編目ζと、終端編目列の編目のうち、弾性編目ζに最も近い位置にある裏目ωと、を裏目ωがベース部の裏側に配置された状態で重ねることで形成する。
【００１０】
本発明の編地の編成方法として、留め編目βは裏目、留め編目εは表目とする形態を挙げることができる。
【００１１】
本発明の編地の編成方法として、ベース部が１×１のリブ組織以外のリブ組織の場合、ベース部の終端編目列の表目と裏目を目移しによって並べ替えて、表目と裏目が交互に並ぶ１×１のリブ組織の終端編目列とする形態を挙げることができる。
【発明の効果】
【００１２】
本発明の編地の編成方法によれば、リブ組織でできたベース部の伏目処理部の編成に弾性糸を利用しているため、伏目処理部に適度な伸縮性を持たせることができる。また、本発明の編地の編成方法によれば、伏目処理部において弾性糸を目立たなくすることができる。後述する実施形態で詳しく説明するように、本発明の編地の編成方法によれば、伏目処理部における外部から見え難い位置に弾性糸を隠すことができるからである。
【００１３】
終端編目列の表目を含む重ね目αのウエール方向に裏目からなる留め編目βを編成し、終端編目列の裏目を含む重ね目δのウエール方向に表目からなる留め編目εを編成する本発明の編地の編成方法によれば、ベース部のウエール方向終端部がカールすることを抑制することができる。ウエール方向に表目（裏目）が連続するとウエール方向終端部がカールし易いが、表目（裏目）がウエール方向に連続する終端の位置に裏目（表目）を編成することで、上記ウエール方向終端部がカールすることを抑制することができるからである。
【００１４】
ベース部のウエール方向終端部の終端編目列を１×１のリブ組織とすることで、伏目処理部を綺麗に仕上げることができる。
【図面の簡単な説明】
【００１５】
【図１】実施形態で編成するタートルネックセーターの概略図である。
【図２】タートルネック部の終端編目列を伏目処理する編成工程の前半部分を示す編成工程図である。
【図３】タートルネック部の終端編目列を伏目処理する編成工程の後半部分を示す編成工程図である。
【図４】伏目処理部における編目の状態を模式的に示す模式図である。
【発明を実施するための形態】
【００１６】
以下の実施形態では、左右方向に延び、かつ、前後方向に互いに対向する前針床（以下、ＦＢ）と後針床（以下、ＢＢ）とを備える２枚ベッド横編機を用いた編成例を説明する。この横編機は、前後の針床間で編目の目移しが可能であり、しかも横編機に備わるＢＢは左右にラッキング可能である。もちろん、４枚ベッド横編機を用いて、実施形態の編成を行うこともできる。
【００１７】
＜実施形態１＞
実施形態１では、図１に示すように、リブ組織のタートルネック部（ベース部１０）を備えるセーター（編地）１００を編成する。このセーター１００では、ベース部１０のウエール方向終端部に並ぶ終端編目列が非弾性糸と弾性糸を用いて伏目処理されることで、伏目処理部６が形成されている。以下、この伏目処理の編成手順を図２，３に基づいて説明する。
【００１８】
≪編成方法≫
図２，３は、伏目処理の編成工程図である。図中の左欄の「アルファベット＋数字」は編成工程の番号を示し、右欄は針床における編成状態が示されており、各工程で実際に行なわれる操作は太線で示す。右欄では説明の便宜上、針床の一部のみを示し、ＢＢのラッキング動作は省略している。これらの図の大文字アルファベットは編針の編幅方向の位置を示す。また、ＦＢ側から見て奥側（ＢＢ側）から手前側（ＦＢ側）に旧編目から引き出される編目である表目は△印で示し、ＦＢ側から見て手前側から奥側に旧編目から引き出される編目である裏目は▽印で示し、重ね目は二重丸で示す。なお、図２，３では、説明の便宜上、タートルネック部１０の前側部分の編成のみを示している。
【００１９】
Ｓ０には、非弾性糸１Ｙを給糸する第一給糸口１を紙面右方向に移動させ、ベース部１０のウエール方向終端部に並ぶ複数の編目からなる終端編目列１０Ｅを編成した状態が示されている。終端編目列１０Ｅは、ＦＢ側から見たときに、ＦＢの編針Ｂ，Ｄ，Ｆ，Ｈに係止される表目と、ＢＢの編針Ａ，Ｃ，Ｅ，Ｇに係止される裏目と、で構成される１×１のリブ組織である。
【００２０】
なお、終端編目列１０Ｅは、表目と裏目とが交互に１つずつ並ぶ１×１のリブ組織に限定されるわけではなく、１×２、２×１、２×２などのリブ組織であっても良い。ベース部１０が１×１のリブ組織以外のリブ組織の場合、終端編目列の表目と裏目を目移しによって並べ替えて、表目と裏目が交互に並ぶ１×１のリブ組織の終端編目列１０Ｅとすることが好ましい。後述する表目処理工程と裏目処理工程とを交互に行う際、編目の移動距離などの編成条件を揃え易く、伏目処理部６を綺麗に仕上げることができるからである。
【００２１】
Ｓ０の状態から紙面左方向（以後、伏目方向と呼ぶ場合もある）に伏目処理を行っていく。つまり、図２，３における紙面右側が伏目処理の始端側、紙面左側が伏目処理の終端側である。
【００２２】
［伏目処理の始端編成工程］
図２のＳ１〜Ｓ３に示す工程は、本発明の編地の編成方法を実施する前に伏目処理の始端を編成する工程である。始端の編成方法は特に限定されないが、Ｓ１〜Ｓ３に示すように行うことで、伏目処理部６（図１参照）の始端を綺麗に仕上げることができる。なお、Ｓ１〜Ｓ３に示す始端編成工程は必須の工程ではなく、いきなり図３に示す本発明の編地の編成方法を実施しても構わない。
【００２３】
Ｓ１では、ＢＢの編針Ａ，Ｃ，Ｅ，Ｇに係止される裏目（▽印）をそれぞれ、ＦＢの編針Ａ，Ｃ，Ｅ，Ｇに目移しした。この目移しは、以降の編成で編糸が終端編目列１０Ｅに編み込まれないようにするためのものである。
【００２４】
Ｓ２では、まずＦＢの編針Ｂに係止される表目（△印）を、ＢＢの編針Ｂに目移しした。この表目は、終端編目列１０Ｅの表目のうち、伏目処理の最も始端側にある表目である。また、Ｓ２では、ベース部１０の編成に利用した第一給糸口１を伏目方向に移動させ、ＢＢの編針Ｂに目移しした表目のウエール方向に続けて、非弾性糸１Ｙで構成される裏目（編目）λを編成した。表目のウエール方向に続けて裏目λを編成することで、ベース部１０のウエール方向終端部がカールすることを抑制できる。ここで、非弾性糸１Ｙで構成される編目λは表目でも良いが、その場合、上記終端部のカールを抑制する効果は得られない。その代わりに、Ｓ２におけるＦＢからＢＢへの表目の目移しを省略することができる。
【００２５】
Ｓ３では、弾性糸２Ｙを給糸する第二給糸口２を伏目方向に移動させ、Ｓ２で編成した裏目λのウエール方向に続けて、弾性糸２Ｙで構成される裏目（編目）μを編成した。ここで、弾性糸２Ｙで構成される編目μは表目でも良く、当該編目μが表目であっても裏目であってもベース部１０に及ぼす効果に違いはない。但し、Ｓ２における非弾性糸１Ｙで構成される編目λが裏目（表目）である場合、弾性糸２Ｙで構成される編目μも裏目（表目）とすると、編目λを目移しする手間を省くことができ、好ましい。
【００２６】
Ｓ１〜Ｓ３に示す始端編成工程が終了したら、図３のＳ４以降に示す本発明の編地の編成方法による伏目処理を開始する。本発明の編地の編成方法は、表目処理工程と裏目処理工程とを交互に繰り返すことで、終端編目列１０Ｅを伏目処理する編地の編成方法である。本例では、Ｓ１〜Ｓ３に示すように終端編目列１０Ｅの表目のウエール方向に続けて始端編成工程の編目μを編成したので、裏目処理工程を先に行う。仮に、終端編目列１０Ｅの裏目のウエール方向に続けて始端編成工程の編目を編成するのであれば、表目処理工程を先に行うと良い。
【００２７】
［１回目の裏目処理工程］
Ｓ４では、ＦＢの編針Ａ，Ｃに係止される終端編目列１０Ｅの裏目をそれぞれ、ＢＢの編針Ａ，Ｃに目移しした。Ｓ５では、ＢＢの編針Ｂに係止される始端編成工程の編目μをＦＢの編針Ｃに目移しすると共に、ＢＢの編針Ａに係止される終端編目列１０Ｅの裏目をＦＢの編針Ｂに目移しした。さらに、Ｓ６では、ＢＢの編針Ｃに係止される終端編目列１０Ｅの裏目をＦＢの編針Ｂに目移しし、終端編目列１０Ｅの裏目を含む重ね目δを形成した。このＳ４〜Ｓ６によって、重ね目δを編目μよりも編地１００の裏側に配置することができる（Ｓ６では重ね目δと編目μは共にＦＢに係止されているが、重ね目δを構成する裏目のシンカーループが編目μの裏側に交差している）。
【００２８】
Ｓ７では、第一給糸口１を始端方向に移動させ、重ね目δのウエール方向に続けて、非弾性糸１Ｙで構成される留め編目εを編成し、重ね目δを固定した。留め編目εはＦＢで編成されたため、表目である。裏目同士の重ね目δのウエール方向に続いて表目（留め編目ε）を編成することで、ベース部１０のウエール方向終端部がカールすることを抑制することができる。なお、留め編目εは裏目であっても良いが、その場合、上記終端部がカールし易くなる恐れがある。
【００２９】
Ｓ８では、第二給糸口２を始端方向に移動させ、留め編目εのウエール方向に続けて、弾性糸２Ｙで構成される弾性編目ζを編成した。弾性編目ζはＦＢで編成されたため、表目であるが、裏目としても構わない。弾性編目ζは、裏目としても表目としても、ベース部１０の特性に大きな違いは生じない。本例では、Ｓ８の開始時に留め編目εがＦＢに係止されているため、弾性編目ζは表目とする方が裏目とするよりも編成効率が良い。それは、留め編目εを目移しする手間を省くことができるからである。
【００３０】
［１回目の表目処理工程］
Ｓ９では、ＦＢの編針Ｃに係止される始端編成工程の編目μとＦＢの編針Ｂに係止される弾性編目ζをそれぞれ、ＢＢの編針Ｃと編針Ｂに目移しした。そして、Ｓ１０では、編目μと弾性編目ζをそれぞれ、ＦＢの編針Ｄと編針Ｃに目移しした。これらＳ９，Ｓ１０によって、ＦＢの編針Ｄに、終端編目列１０Ｅの表目（Ｓ９の編針Ｄの編目）を含む重ね目αが形成される。なお、Ｓ９，Ｓ１０において弾性編目ζを伏目方向に寄せているのは、後述する２回目の裏目処理工程において、重ね目δを形成し易くするためである。
【００３１】
Ｓ１１では、ＦＢの編針Ｄに係止される重ね目αをＢＢの編針Ｄに目移しした後、第一給糸口１を伏目方向に移動させ、重ね目αのウエール方向に続けて留め編目βを形成し、重ね目αを固定した。留め編目βはＢＢで編成されるため、裏目である。重ね目αは、終端編目列１０Ｅの表目を含むため、重ね目αに続く留め編目βが裏目であると、ベース部１０のウエール方向終端部がカールすることを抑制することができる。なお、裏目処理工程における留め編目εと同様に、留め編目βは表目でも良い。
【００３２】
Ｓ１２では、第二給糸口２を伏目方向に移動させ、ＢＢの編針Ｄに係止される留め編目βのウエール方向に続けて、弾性糸２Ｙで構成される弾性編目γを編成した。弾性編目γはＢＢで編成されるため、裏目である。なお、裏目処理工程における弾性編目ζと同様に、弾性編目γは表目でも良い。
【００３３】
［２回目以降の裏目処理工程および表目処理工程］
Ｓ１２における伏目処理の始端側の編目の配置状態を見ると、図２のＳ３と同じになっていることが分かる。従って、２回目以降の裏目処理工程および表目処理工程は、図３のＳ４〜Ｓ１２と同様に行うと良い。
【００３４】
まず、２回目の裏目処理工程の重ね目δは、Ｓ１２に示す１回目の裏目処理工程で編成した弾性編目ζと、終端編目列１０Ｅのうち、弾性編目ζに最も近い位置にある裏目ωと、を重ねることで形成する。具体的には、Ｓ４〜Ｓ６と同様の手順に従って、弾性編目ζをＦＢの編針Ｄに目移しした後、その編針Ｄに裏目ωを目移しする。その結果、裏目ωがベース部１０の裏側に配置された状態で両編目ζ，ωが重ねられる。
【００３５】
また、２回目の表目処理工程の重ね目αは、Ｓ１２に示す１回目の表目処理工程で編成した弾性編目γと、終端編目列１０Ｅのうち、弾性編目γに最も近い位置にある表目χと、を重ねることで形成する。具体的には、Ｓ９，Ｓ１０と同様の手順に従って、表目χが係止されるＦＢの編針Ｆに弾性編目γを目移しする。その結果、表目χがベース部１０の表側に配置された状態で編目γ，χが重ねられる。
【００３６】
３回目以降の裏目処理工程および表目処理工程においても、上記２回目の裏目処理工程および表目処理工程と同様に行う。即ち、ｎを１以上の自然数としたとき、ｎ＋１回目の重ね目α（重ね目δ）は、ｎ回目の弾性編目γ（弾性編目ζ）と、終端編目列１０Ｅのうち、弾性編目γ（弾性編目ζ）に最も近い位置にある表目χ（裏目ω）と、を表目χ（裏目ω）がベース部１０の表側（裏側）に配置された状態で重ねることで形成する。
【００３７】
以上説明したように、裏目処理工程と表目処理工程とを交互に行うことで、終端編目列１０を伏目処理することができる。
【００３８】
［伏目処理部における編目の状態］
図４は、図２，３に基づいて編成された伏目処理部６における編目の状態を示す模式図である。この図４では、どの編目のウエール方向にどの編目が連続しているか、どの編目がどの編目に重ねられているかを分かり易くするために、編目を簡略化しており、表目と裏目の区別もしていない。図４では、弾性糸を他の編糸よりも太線で示している。また、図４では、編目の繋がりを矢印とローマ数字で示しており、同じローマ数字の部分で編糸が繋がっている。例えば、留め編目βから伸びる矢印の先端にあるローマ数字『Ｉ』は、留め編目εに向かう矢印の根元にあるローマ数字『Ｉ』に繋がっている。なお、ローマ数字『ＩＶ』と『ｉｖ』が付された編糸はそれぞれ、図示しない留め編目βと弾性編目γに繋がっている。
【００３９】
図４に示すように、重ね目α（δ）のウエール方向に連続して留め編目β（ε）と弾性編目γ（ζ）が編成されており、上段の弾性編目γ（ζ）が伏目となっている。このように、留め編目β（ε）と弾性編目γ（ζ）の二段分の編目が編成されていることで、ベース部１０のウエール方向終端部が編幅方向に過剰に縮むことを回避することができる。また、ベース部１０を編幅方向に引っ張ったときは、弾性糸からなる弾性編目γ（ζ）が伸びるため、ベース部１０の伸びが過剰に拘束されることを回避することができる。その結果、リブ組織のベース部１０のウエール方向終端部に適度な伸縮性を持たせることができる。
【００４０】
また、図４に示すように、重ね目αにおいて、表目χがベース部１０の表側となるように非弾性糸の表目χと弾性糸の弾性編目γとが重ねられ、重ね目δにおいて、裏目ωがベース部１０の裏側となるように非弾性糸の裏目ωと弾性糸の弾性編目ζとが重ねられている。そのため、非弾性糸と異なる質感を持つ弾性糸で構成された弾性編目γ，ζは、非弾性糸で構成される表目χと裏目ωとの間に挟まれた状態でベース部１０の外部から見え難くなっている。その結果、伏目処理部６において弾性糸を目立たなくすることができる。
【符号の説明】
【００４１】
ＦＢ  前針床（一側針床）  ＢＢ  後針床（他側針床）
１００  セーター（編地）
１０  タートルネック部（ベース部）
１０Ｅ  終端編目列
６  伏目処理部
１  第一給糸口  １Ｙ  非弾性糸
２  第二給糸口  ２Ｙ  弾性糸
【図１】
2015127466.tif 000003
【図２】
2015127466.tif 000004
【図３】
2015127466.tif 000005
【図４】
2015127466.tif 000006